(57)【特許請求の範囲】
【請求項１】
箱状の取水装置本体と、該取水装置本体の上方から前面にかけて形成された開口部を覆って配設される取水スクリーンとを含んで構成される表流水の取水装置であって、
前記取水スクリーンのスクリーン部は上方にわん曲した側面視略弓形形状をなし、
前記取水装置本体の上部に、背面側から前方に張り出した表流水の流入板を備え、
前記スクリーン部の上端側が、前記流入板の下方に配置されると共に、前記スクリーン部のわん曲面の最高部が、前記流入板の表面高さと同一又は僅かに上方に位置することを特徴とする取水装置。
【請求項２】
前記スクリーン部の上端側におけるスクリーン表面と、前記流入板の表面との高低差が８〜２０ｍｍであることを特徴とする請求項１に記載の取水装置。
【請求項３】
前記スクリーン部のわん曲面の最高部と、前記流入板の表面との高低差が０〜１０ｍｍであることを特徴とする請求項１又は請求項２に記載の取水装置。
【請求項４】
前記取水スクリーンが前記取水装置本体に対して着脱自在であることを特徴とする請求項１から請求項３の何れかに記載の取水装置。
【発明の詳細な説明】
【技術分野】
【０００１】
本発明は、山間地における谷川での表流水の取水に好適な取水装置に関する。
【背景技術】
【０００２】
従来から、表流水の取水装置が種々開示されている（例えば、特許文献１参照。）。特許文献１に開示された表流水の背面取水装置は、取水器本体の上面開口部に取水スクリーンを斜め後ろ下がりに支持し、当該取水スクリーンの上方部に臨ませた表流水の流入受け板を、当該表流水の流入側へ張り出し形成し、当該流入受け板から流入する表流水を、取水器背面の取水スクリーンから取水するように構成したことを特徴としている。また、当該流入受け板の左右両側位置に跳水防止ガイドを配設し、流入受け板から流入する表流水の跳水を跳水防止ガイドで防止しつつ、取水器背面の取水スクリーンから表流水を取水するように構成したことを特徴としている。
【先行技術文献】
【特許文献】
【０００３】
【特許文献１】特許第３０７５９２８号
【発明の概要】
【発明が解決しようとする課題】
【０００４】
特許文献１に開示された表流水の背面取水装置によると、河川表流水の流れの前面側からではなく、河川表流水の流れの背面側から取水できることになり、その際、落ち葉や流木等を流出させながら取水スクリーンから表流水を背面取水することができるので、水源の維持管理作業の煩わしさを大幅に解消できる旨、記載されている。
【０００５】
また、特許文献１に開示された表流水の背面取水装置において、当該流入受け板の左右両側位置に跳水防止ガイドを配設することによって、河川表流水の跳水現象を防止しつつ取水スクリーンへ向かう水流を形成すべく機能し、これにて河川表流水の流速変化による取水能力の低下を防止し、所期の取水性能がコンスタントに発揮できる等の諸効果をもたらす旨、記載されている。
【０００６】
確かに、特許文献１に開示された表流水の背面取水装置のように、取水スクリーンを斜め後ろ下がりに支持した場合、取水スクリーンに落ち葉等が引っ掛かる虞は殆どなく、仮に取水スクリーンの表面に落ち葉等が堆積しても、表流水の流量が増加すればその水圧によって押し流すことが出来るため、取水装置の維持管理作業は大幅に軽減できるものと思料する。
【０００７】
しかしながら、流入受け板と略同一の傾斜勾配にて取水スクリーンを斜め後ろ下がりに支持した場合、流入受け板上を流れる表流水の大半が取水スクリーンの表面を流下してしまい、安定した表流水の取水は困難である。
【０００８】
また、流入受け板の左右両側位置に跳水防止ガイドを配設すると、流入受け板と跳水防止ガイドとの間に枯れ葉や流木等が堆積し易くなる虞もある。特に、流入受け板と跳水防止ガイドとの間に枯れ葉や流木等が挟まってしまうと表流水の水圧で押し流すことが困難となり、枯れ葉等が更に堆積して最終的には表流水の取水が困難となるため、定期的な維持管理作業が必要となる。
【０００９】
そこで本願発明者は、上記の問題点に鑑み、表流水の取水効率が高く、且つ維持管理作業を大幅に軽減できる取水装置を提供するべく鋭意検討を重ねた結果、本発明に至ったのである。
【課題を解決するための手段】
【００１０】
即ち、本発明は、箱状の取水装置本体と、該取水装置本体の上方から前面にかけて形成された開口部を覆って配設される取水スクリーンとを含んで構成される表流水の取水装置であって、前記取水スクリーンのスクリーン部は上方にわん曲した側面視略弓形形状をなし、前記取水装置本体の上部に、背面側から前方に張り出した表流水の流入板を備え、前記スクリーン部の上端側が、前記流入板の下方に配置されると共に、前記スクリーン部のわん曲面の最高部が、前記流入板の表面高さと同一又は僅かに上方に位置することを特徴とする。
【００１１】
また、本発明の取水装置において、前記スクリーン部の上端側におけるスクリーン表面と、前記流入板の表面との高低差が８〜２０ｍｍであることを特徴とする。
【００１２】
更に、本発明の取水装置において、前記スクリーン部のわん曲面の最高部と、前記流入板の表面との高低差が０〜１０ｍｍであることを特徴とする。
【００１３】
また、本発明の取水装置において、前記取水スクリーンが前記取水装置本体に対して着脱自在であることを特徴とする。
【発明の効果】
【００１４】
本発明の取水装置によると、表流水の流量に拘わらず、安定的に取水することが出来る。また、取水スクリーンに枯れ葉や流木等が堆積しても上流側からの表流水の水流によって下流側へ押し流されるため、取水装置の維持管理作業を大幅に軽減することができる。
【００１５】
また、本発明の取水装置に係る取水スクリーンを取水装置本体に対して着脱自在に構成することによって、取水スクリーンが毀損した場合等に容易に取り換えることができる。
【図面の簡単な説明】
【００１６】
【図１】本発明の一実施形態に係る取水装置の正面図である。
【図２】図１に示した取水装置の平面図である。
【図３】図１におけるＡ−Ａ線断面図である。
【図４】図１に示した取水装置において、（ａ）はスクリーン部のわん曲面の最高部が流入板の表面高さと同一の場合、（ｂ）はスクリーン部のわん曲面の最高部が流入板の表面高さより僅かに上方に位置する場合を示す要部断面図である。
【発明を実施するための形態】
【００１７】
以下、本発明の一実施形態について、図面に基づいて説明する。図１は、本発明の一実施形態に係る取水装置１０を示す正面図、図２は当該取水装置１０の平面図、図３は図１に示した取水装置１０に係るＡ−Ａ線断面図である。これら図１から図３に示すように、本実施形態に係る取水装置１０は、箱状の取水装置本体１２と、取水装置本体１２の上方から前面にかけて形成された開口部１４を覆って配設される取水スクリーン１６とを含んで構成されている。
【００１８】
本実施形態の取水装置１０に係る取水装置本体１２は、左右の側面板２１，２２と、両側面板２１，２２間の前方下部に配設された前面板２３と、両側面板２１，２２間の後方に配設された背面板２４と、両側面板２１，２２間の下方に配設された底板２５と、両側面板２１，２２間の上部において、背面板２４の上端部から前方に張り出した表流水の流入板２６とによって、箱状に形成されている。そして、両側面板２１，２２間において、前面板２３の上端縁２３ａと流入板２６の前端縁２６ａとの間に開口部１４が形成されることとなる。
【００１９】
本実施形態の取水装置１０に係る取水スクリーン１６は、取水装置本体１２に形成された開口部１４を覆って配設される。図３に示すように、取水スクリーン１６は、表流水を取水するためのスクリーン部１７と、スクリーン部１７の上縁側から延設された挿入部１８と、スクリーン部１７の下縁側から延設された取り付け部１９とを含んで構成されている。
【００２０】
取水スクリーン１６に係るスクリーン部１７は上方にわん曲した側面視略弓形形状をなしている。そして、このスクリーン部１７の上端１７ａ側が流入板２６の下方に配置されることによって、取水スクリーン１６に係るスクリーン部１７の上端１７ａ側のスクリーン表面が、流入板２６に係る表流水の流入面（流入板２６の表面）より下方に位置することとなる。つまり、スクリーン部１７の上端１７ａ側のスクリーン表面と流入板２６の表面とに高低差ｈが形成されることとなり、この高低差ｈによって表流水に抵抗を生じさせ、強制的に取水装置本体１２内へ表流水を流入させる。
【００２１】
更に、本実施形態の取水装置１０において、取水スクリーン１６に係るスクリーン部１７のわん曲したスクリーン表面（＝わん曲面）の最高部Ｔは、流入板２６の表面と同一の高さに設定されている。つまり、スクリーン部１７は、その上端１７ａ側から最高部Ｔにかけて徐々に上方に向かってわん曲し、最高部Ｈから下方に向かってわん曲し、スクリーン部１７全体として側面視略弓形形状をなしている。
【００２２】
以上の構成を備える本実施形態の取水装置１０は、谷川等の水源に設けた堰堤等の凹部に設置され、堰堤の上流側に貯留された表流水を取水装置１０へ導水することによって取水スクリーン１６から取水装置本体１２内へ取水される。より具体的には、取水装置１０の設置箇所の上流側から流れてきた表流水は、取水装置１０に係る取水装置本体１２を構成する両側面板２１，２２と流入板２６とによって形成された表流水流入経路Ｒへ流れ込み、流入板２６から取水スクリーン１６へ到達した表流水は、スクリーン部１７から取水装置本体１２内へと流入する。
【００２３】
ここで、本実施形態の取水装置１０では、スクリーン部１７の上端１７ａ側のスクリーン表面と流入板２６の表面との間に高低差ｈが形成されており、更に、スクリーン部１７のわん曲したスクリーン表面（＝わん曲面）の最高部Ｔが流入板２６の表面と同一の高さに設定されているため、流入板２６から流入し、スクリーン部１７へ到達した表流水に抵抗が生じ、表流水の流量が多い場合は勿論であるが、流量が少ない場合であっても積極的にスクリーン部１７から取水装置本体１２内へ安定的に取水することができる。
【００２４】
また、取水装置本体１２に係る両側面板２１，２２と流入板２６とによって形成された表流水流入経路Ｒから取水スクリーン１６にかけて、そもそも枯れ葉等が堆積し難い構造となっているが、表流水の流量が少なく、枯れ葉等がスクリーン部１７の上端１７ａ付近に堆積した場合であっても、表流水の流量が多くなればその水圧によって容易に押し流すことができるため、本実施形態の取水装置１０によると、枯れ葉等の除去作業のような維持管理作業が殆ど不要となり、メンテナンスコストの大幅な削減が図られる。
【００２５】
なお、図１及び図３において符号３２で示すのは排泥口であって、この排泥口３２には不図示のプラグが螺着されている。取水装置本体１２内に流入した表流水に含まれる砂や泥は、当該プラグ（不図示）を外すことによって、排泥口３２から取水装置本体１２外へ排出することができる。
【００２６】
また、図１から図３において符号３４で示すのは取水管であり、この取水管３４から取水装置本体１２内に流入した表流水を目的の場所へ導水することができる。なお、本実施形態では取水管３４が側面板２１側に接続されているが、この取水管３４が接続される場所は特に限定されず、取水装置１０の設置場所に応じて、側面板２２側や前面板２３側等に接続されてもよい。
【００２７】
以上、本発明の一実施形態に係る取水装置１０について詳述したが、取水装置１０に係る取水スクリーン１６は取水装置本体１２に対して着脱自在であることが好ましい。図３に示すように、取水装置本体１２に係る両側面板２１，２２間における流入板２６の下方に、背面板２４から前方に張り出した取水スクリーン受板３１を設け、更にこの取水スクリーン受板３１の両端部から前方に向かって斜め下方にわん曲したガイド板３０，３０を両側面板２１，２２にそれぞれ設ける。
【００２８】
取水スクリーン１６を取水装置本体１２に係る開口部１４に取り付ける場合は、取水スクリーン１６に係る挿入部１８をガイド板３０，３０に当接させた状態で上方へスライドさせていくことによって、挿入部１８が流入板２６と取水スクリーン受板３１との間に挿入される。そして、取水スクリーン１６に係る取り付け部１９を、取水装置本体１２に係る前面板２３に設けられた係止部にボルトとナットで固定することによって容易に取り付けることができる。
【００２９】
このように、取水スクリーン１６を取水装置本体１２に対して着脱自在に構成することによって、取水スクリーン１６が毀損した場合等に容易に交換が可能である。また、取水装置本体１２内の清掃を行う場合も、取水スクリーン１６を取り外すことによって作業効率を大幅に向上することができる。更に、両側面板２１，２２にガイド板３０，３０を設けることによって、取水スクリーン１６の着脱を容易に行うことができる。
【００３０】
以上、本発明の取水装置の実施形態について詳述したが、本発明の技術的思想を実質的に限定するものと解してはならない。例えば、本実施形態の取水装置１０において、スクリーン部１７の上端１７ａ側におけるスクリーン表面と、取水装置本体１２に係る流入板２６の表面との高低差ｈについて、高低差が設けられればその値は特に限定されないが、取水効率及び落ち葉等の堆積防止を考慮して、高低差ｈは８〜２０ｍｍとすることが好ましく、１０〜１５ｍｍとすることが特に好ましい。高低差ｈが８ｍｍ未満であると表流水に発生する抵抗が少ないために取水効率が低下し、安定的な表流水の取水が困難となる虞がある。また、高低差ｈが２０ｍｍを超えると、スクリーン部１７の上端１７ａ付近に落ち葉等が堆積し易くなり、取水効率の低下及び維持管理作業の負担が増えることとなる。
【００３１】
また、上記実施形態の取水装置１０において、取水スクリーン１６に係るスクリーン部１７のわん曲したスクリーン表面（＝わん曲面）の最高部Ｔは、図４（ａ）に示すように、流入板２６の表面と同一の高さに設定されているが、同図（ｂ）に示すように、最高部Ｔが流入板２６の表面高より僅かに上方に位置していることがより好ましい。具体的には、スクリーン部１７のスクリーン表面（＝わん曲面）の最高部Ｔと、流入板２６の表面との高低差Ｈは０〜１０ｍｍとすることが好ましく、３〜７ｍｍとすることが特に好ましい。高低差Ｈが０ｍｍ未満、即ち流入板２６の表面高より下方にスクリーン部１７のスクリーン表面（＝わん曲面）の最高部Ｔが位置すると、流入板２６から流入した表流水に抵抗が殆ど生じないため、表流水がスクリーン部１７のスクリーン表面を流下してしまい、取水効率が大幅に低下する。一方、高低差Ｈが１０ｍｍを超えると、取水効率は向上するが枯れ葉等が堆積し易くなったり、表流水に含まれている砂利等によってスクリーン部１７のスクリーン表面が摩耗してスクリーン部１７の断面が薄くなったりするため、維持管理作業の負担を軽減することが困難となる。
【００３２】
以上、本発明はその要旨を逸脱しない範囲で、当業者の創意と工夫により、適宜に改良、変更又は追加をしながら実施できる。
【符号の説明】
【００３３】
１０：取水装置
１２：取水装置本体
１４：開口部
１６：取水スクリーン
１７：スクリーン部
１８：挿入部
１９：取り付け部
２１，２２：側面板
２３：前面板
２４：背面板
２５：底板
２６：流入板
３０：ガイド板
３１：取水スクリーン受板
３２：排泥口
３４：取水管
ｈ：スクリーン部の上端側におけるスクリーン表面と流入板表面との高低差
Ｈ：スクリーン部のスクリーン表面の最高部と流入板表面との高低差
【図１】
0006406965.tif 000002
【図２】
0006406965.tif 000003
【図３】
0006406965.tif 000004
【図４】
0006406965.tif 000005